【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定部であって、該第２の取引対象ページが該第１の取引対象ページよりも前に該ユーザ端末に表示されたウェブページである、該特定部と、
取引対象に対応する取引対象情報を記憶する取引対象記憶部から、前記第１の取引対象に対応する第１の取引対象情報と前記第２の取引対象に対応する第２の取引対象情報とを抽出し、該第１及び第２の取引対象情報を比較する比較部と、
前記比較部による比較の結果を示す比較情報を前記ユーザに提示する提示部と
を備え、
前記第２の取引対象が表示されることなく前記比較情報が前記第１の取引対象ページ上に表示される、
情報提供装置。
【請求項２】
前記特定部が、前に前記第１の取引対象ページが表示されてから次に該第１の取引対象ページが表示されるまでの間に表示された取引対象ページの少なくとも一つを前記第２の取引対象ページとして特定する、
請求項１に記載の情報提供装置。
【請求項３】
前記特定部が、所定の時間範囲内において所定の時間以上表示された取引対象ページの少なくとも一つを前記第２の取引対象ページとして特定する、
請求項１に記載の情報提供装置。
【請求項４】
前記比較情報が、前記第１の取引対象情報と前記第２の取引対象情報との差分を示す差分情報を含み、
該差分情報が、予め設定されている項目値の優劣関係に基づいて、前記第１の取引対象情報の方が前記第２の取引対象情報よりも有利である項目と、前記第１の取引対象情報の方が前記第２の取引対象情報よりも不利である項目とのうちの少なくとも一方が視認可能な態様で、前記ユーザ端末上に表示される、
請求項１〜３のいずれか一項に記載の情報提供装置。
【請求項５】
前記第１の取引対象ページを生成する生成部を更に備え、
前記比較情報が、前記第１の取引対象情報と前記第２の取引対象情報との差分を示す差分情報を含み、
前記生成部が、予め設定されている項目値の優劣関係に基づいて、前記第１の取引対象ページにおいて前記第１の取引対象情報の方が前記第２の取引対象情報よりも不利な項目の値を、前記第２の取引対象ページ内の対応値と同じ値又は該対応値よりも有利な値に変更し、
前記提示部が、前記生成部により前記不利な項目の値が変更された前記第１の取引対象ページを提示する、
請求項１〜３のいずれか一項に記載の情報提供装置。
【請求項６】
前記生成部が、取引対象の在庫数及び申込数を記憶する在庫記憶部を参照して前記第１の取引対象ページで示される取引対象の申込率を求め、該申込率が第１の閾値以下である場合に前記不利な項目の値を前記対応値に変更する、
請求項５に記載の情報提供装置。
【請求項７】
前記生成部が、取引対象の在庫数及び申込数を記憶する在庫記憶部を参照して前記第１の取引対象ページで示される取引対象の申込率を求め、該申込率が前記第１の閾値よりも小さい第２の閾値以下である場合に、前記不利な項目の値を前記対応値よりも有利な値に変更する、
請求項６に記載の情報提供装置。
【請求項８】
前記生成部が、予め設定されている、取引対象の提供者間の所定の関係を示す関係情報を参照して、前記第１の取引対象情報に対応する提供者と前記第２の取引対象情報に対応する提供者とが該所定の関係であるか否かを判定し、双方の提供者が該所定の関係である場合に前記不利な項目の値を前記第２の取引対象ページ内の対応値に基づいて変更する、
請求項５に記載の情報提供装置。
【請求項９】
情報提供装置により実行される情報提供方法であって、
ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定ステップであって、該第２の取引対象ページが該第１の取引対象ページよりも前に該ユーザ端末に表示されたウェブページである、該特定ステップと、
取引対象に対応する取引対象情報を記憶する取引対象記憶部から、前記第１の取引対象に対応する第１の取引対象情報と前記第２の取引対象に対応する第２の取引対象情報とを抽出し、該第１及び第２の取引対象情報を比較する比較ステップと、
前記比較ステップにおける比較の結果を示す比較情報を前記ユーザに提示する提示ステップと
を含み、
前記第２の取引対象が表示されることなく前記比較情報が前記第１の取引対象ページ上に表示される、
情報提供方法。
【請求項１０】
ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定部であって、該第２の取引対象ページが該第１の取引対象ページよりも前に該ユーザ端末に表示されたウェブページである、該特定部と、
取引対象に対応する取引対象情報を記憶する取引対象記憶部から、前記第１の取引対象に対応する第１の取引対象情報と前記第２の取引対象に対応する第２の取引対象情報とを抽出し、該第１及び第２の取引対象情報を比較する比較部と、
前記比較部による比較の結果を示す比較情報を前記ユーザに提示する提示部と
してコンピュータを機能させ、
前記第２の取引対象が表示されることなく前記比較情報が前記第１の取引対象ページ上に表示される、
情報提供プログラム。
【請求項１１】
ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定部であって、該第２の取引対象ページが該第１の取引対象ページよりも前に該ユーザ端末に表示されたウェブページである、該特定部と、
取引対象に対応する取引対象情報を記憶する取引対象記憶部から、前記第１の取引対象に対応する第１の取引対象情報と前記第２の取引対象に対応する第２の取引対象情報とを抽出し、該第１及び第２の取引対象情報を比較する比較部と、
前記比較部による比較の結果を示す比較情報を前記ユーザに提示する提示部と
してコンピュータを機能させるための情報提供プログラムを記憶し、
前記第２の取引対象が表示されることなく前記比較情報が前記第１の取引対象ページ上に表示される、
コンピュータ読取可能な記録媒体。
【手続補正２】
【補正対象書類名】明細書
【補正対象項目名】０００５
【補正方法】変更
【補正の内容】
【０００５】
本発明の一形態に係る情報提供装置は、ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定部であって、該第２の取引対象ページが該第１の取引対象ページよりも前に該ユーザ端末に表示されたウェブページである、該特定部と、取引対象に対応する取引対象情報を記憶する取引対象記憶部から、第１の取引対象に対応する第１の取引対象情報と第２の取引対象に対応する第２の取引対象情報とを抽出し、該第１及び第２の取引対象情報を比較する比較部と、比較部による比較の結果を示す比較情報をユーザに提示する提示部とを備え、第２の取引対象が表示されることなく比較情報が第１の取引対象ページ上に表示される。
【手続補正３】
【補正対象書類名】明細書
【補正対象項目名】０００６
【補正方法】変更
【補正の内容】
【０００６】
本発明の一形態に係る情報提供方法は、情報提供装置により実行される情報提供方法であって、ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定ステップであって、該第２の取引対象ページが該第１の取引対象ページよりも前に該ユーザ端末に表示されたウェブページである、該特定ステップと、取引対象に対応する取引対象情報を記憶する取引対象記憶部から、第１の取引対象に対応する第１の取引対象情報と第２の取引対象に対応する第２の取引対象情報とを抽出し、該第１及び第２の取引対象情報を比較する比較ステップと、比較ステップにおける比較の結果を示す比較情報をユーザに提示する提示ステップとを含み、第２の取引対象が表示されることなく比較情報が第１の取引対象ページ上に表示される。
【手続補正４】
【補正対象書類名】明細書
【補正対象項目名】０００７
【補正方法】変更
【補正の内容】
【０００７】
本発明の一形態に係る情報提供プログラムは、ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定部であって、該第２の取引対象ページが該第１の取引対象ページよりも前に該ユーザ端末に表示されたウェブページである、該特定部と、取引対象に対応する取引対象情報を記憶する取引対象記憶部から、第１の取引対象に対応する第１の取引対象情報と第２の取引対象に対応する第２の取引対象情報とを抽出し、該第１及び第２の取引対象情報を比較する比較部と、比較部による比較の結果を示す比較情報をユーザに提示する提示部としてコンピュータを機能させ、第２の取引対象が表示されることなく比較情報が第１の取引対象ページ上に表示される。
【手続補正５】
【補正対象書類名】明細書
【補正対象項目名】０００８
【補正方法】変更
【補正の内容】
【０００８】
本発明の一形態に係るコンピュータ読取可能な記録媒体は、ユーザによる取引対象ページの閲覧の履歴を記憶する閲覧履歴記憶部を参照して、ユーザ端末に表示される第１の取引対象ページに係る第１の取引対象と比較する、第２の取引対象ページに係る第２の取引対象を特定する特定部であって、該第２の取引対象ページが該第１の取引対象ページよりも前に該ユーザ端末に表示されたウェブページである、該特定部と、取引対象に対応する取引対象情報を記憶する取引対象記憶部から、第１の取引対象に対応する第１の取引対象情報と第２の取引対象に対応する第２の取引対象情報とを抽出し、該第１及び第２の取引対象情報を比較する比較部と、比較部による比較の結果を示す比較情報をユーザに提示する提示部としてコンピュータを機能させるための情報提供プログラムを記憶し、第２の取引対象が表示されることなく比較情報が第１の取引対象ページ上に表示される。
【手続補正６】
【補正対象書類名】明細書
【補正対象項目名】０００９
【補正方法】変更
【補正の内容】
【０００９】
このような形態によれば、これから表示される第１の取引対象と比較される第２の取引対象が閲覧履歴に基づいて特定され、これら双方の取引対象についての取引対象情報が比較される。そして、その比較結果がユーザに提示される。このように、ユーザにより閲覧された取引対象情報の比較結果を自動的に抽出して該ユーザに提示することで、ユーザは取引対象をより簡単に比較することができる。また、第２の取引対象を表示することなく比較結果を第１の取引対象ページ内に表示させることで、比較結果の閲覧性が高まる。
【手続補正７】
【補正対象書類名】明細書
【補正対象項目名】００１２
【補正方法】削除
【補正の内容】